(57)【要約】【課題】光磁界変調記録用の磁界励起ヘッドに対して、必要最小限の駆動電流を流すように制御することによって、無駄な電力消費を少なくし、全体回路の発熱量を低減することができる磁界励起ヘッドの駆動電流制御装置を提供する。【解決手段】ＤＳＰ／サーボ回路１に接続された４ＣＨドライバ３によってピックアップ・トラバース部２の各駆動部材が駆動制御される。ディスク記録時には、ヘッド・ドライバ回路８を介して磁界励起ヘッド９に駆動電流が印加される。その駆動電流は、電源Ｖｃｃの電圧を直列の抵抗Ｒ１、Ｒ２によって分圧した第１出力と、差動アンプ部６からの第２出力と、反転アンプ部７から第３出力でなる３種の出力のそれぞれをオア回路的に結合したダイオードＤ１、Ｄ２、Ｄ３を介するような制御信号に基づいて行なわれる。【選択図】　　　　図１
2004133978.tif 000002
【特許請求の範囲】
【請求項１】
光磁界変調記録用の光束が所定の光束トラッキング範囲に駆動される光学ヘッドに協働してトラッキング方向に駆動されると共に、前記光束トラッキング範囲に光磁界変調記録用の磁界を印加する磁界励起ヘッドの駆動電流制御装置において、
前記光束トラッキング範囲の中に位置する前記光学ヘッドの光束トラッキング位置に対応する位置信号を得る検出手段と、
前記検出手段で検出された位置信号に対応して前記光学ヘッドの光磁界変調記録用の光束位置における磁界強度が規定値になるように前記磁界励起ヘッドの駆動電流を制御する制御手段とを具備することを特徴とする磁界励起ヘッドの駆動電流制御装置。
【請求項２】
前記検出手段は、前記光束トラッキング範囲の中に位置する前記光学ヘッドの光束トラッキング位置に対応する位置信号を得るように構成し、
前記制御手段は、当該検出手段で検出された位置信号に対応して前記光学ヘッドの光磁界変調記録用の光束位置における磁界強度が一定になるように前記磁界励起ヘッドの駆動電流を制御するように構成することを特徴とする請求項１に記載の磁界励起ヘッドの駆動電流制御装置。
【請求項３】
前記検出手段は、前記光束トラッキング範囲の中に位置する前記光学ヘッドの光束トラッキング位置を予め定められた複数点に対応する複数の位置信号を得るように構成し、
前記制御手段は、等外検出手段で検出された位置信号に対応して前記光学ヘッドの光磁界変調記録用の光束位置における磁界強度が前記複数の位置信号に対応する値になるように前記磁界励起ヘッドの駆動電流を制御するように構成することを特徴とする請求項１に記載の磁界励起ヘッドの駆動電流制御装置。
【請求項４】
前記検出手段は、前記光束トラッキング範囲の中に位置する前記光学ヘッドの光束トラッキング位置の中心に位置する第１点と、一側の方向に位置する第２点と、他側の方向に位置する第３点のそれぞれに対応する位置信号を得るように構成し、
前記制御手段は、当該検出手段で検出された位置信号に対応して前記光学ヘッドの光磁界変調記録用の光束位置における磁界強度が前記第１点乃至第３点のそれぞれに対応する値になるように前記磁界励起ヘッドの駆動電流を制御するように構成することを特徴とする請求項３に記載の磁界励起ヘッドの駆動電流制御装置。
【請求項５】
前記検出手段は、前記光束トラッキング範囲の中に位置する前記光学ヘッドの光束トラッキング位置の中心に位置する第１部位と、一側または他側の方向に位置する第２部位のそれぞれに対応する位置信号を得るように構成し、
前記制御手段は、当該検出手段で検出された位置信号に対応して前記光学ヘッドの光磁界変調記録用の光束位置における磁界強度が前記第１部位と第２部位のそれぞれに対応する値になるように前記磁界励起ヘッドの駆動電流を制御するように構成することを特徴とする請求項３に記載の磁界励起ヘッドの駆動電流制御装置。
【請求項６】
前記磁界励起ヘッドは、前記光学ヘッドによる光束が照射される記録媒体面に対向して配置されることを特徴とする請求項１乃至請求項５のいずれかに記載の磁界励起ヘッドの駆動電流制御装置。
【請求項７】
前記磁界励起ヘッドは、前記光学ヘッドによる光束が照射される記録媒体面と同一の側に配置されることを特徴とする請求項１乃至請求項５のいずれかに記載の磁界励起ヘッドの駆動電流制御装置。
【発明の詳細な説明】
【０００１】
【発明の属する技術分野】
本発明は、磁界励起ヘッドの駆動電流制御装置に関する。
【０００２】
【従来の技術】
一般に、ＭＤやＭＯ等のディスクに対して音声信号や画像信号を光磁界変調記録によって行う場合には、光磁界変調記録用の光束が所定の光束トラッキング範囲に駆動される光学ヘッドが設けられ、この光学ヘッドと一体になってトラッキング方向に協働して駆動される磁界励起ヘッドが設けられている。
【０００３】
磁界励起ヘッドは、光学ヘッドによる光束が照射される記録媒体（ディスク）の面に対向して配置される場合が主流であって、場合によっては光学ヘッドによる光束が照射される面と同一の側に配置されることがあり、いずれの場合においても、磁界励起ヘッドは、光ヘッドからの光束トラッキングがされる範囲に、光磁界変調記録用の磁界を印加することによって所期の光磁界変調記録を行うことができる。
【０００４】
このような磁界励起ヘッドへの駆動電流の制御は、従来装置においては、例えば図６に示すように構成され、ＤＳＰ／サーボ回路１２に接続された４ＣＨドライバ１４によってピックアップ・トラバース部１３のスピンドルモータとスレッドモータとフォーカスコイルとトラッキングコイルが制御され、スピンドルモータによってディスクの回転が線速度一定もしくは角速度一定の制御がなされ、スレッドモータによって光学ヘッドと磁界励起ヘッドが一体となってトラッキング方向に移動制御され、フォーカスコイルによって光学ヘッドからの光束がディスク記録面に対して合焦状態になるように制御され、トラッキングコイルによって光学ヘッドの光束が所定の光束トラッキング範囲に駆動制御される。
【０００５】
ディスク再生時には、ピックアップ・トラバース部１３によって読み取られた信号がＲＦ・ＡＭＰ回路１５によって増幅されてＤＳＰ／サーボ回路１２に入力され、適宜のデジタル処理が実行されることによって最終的な音声または映像の再生信号を得ることができる。
【０００６】
ディスク記録時には、音声または映像の信号がＤＳＰ／サーボ回路１２に入力されることによって光学ヘッドに対して記録用の光信号が印加されると共に、ＤＳＰ／サーボ回路１２からヘッド・ドライバ回路１７を介して磁界励起ヘッド１８に駆動電流が印加される。
【０００７】
その駆動電流は、電源Ｖｃｃが接続されるＡＶＲ回路１６から出力される一定電圧の制御信号でヘッド・ドライバ回路１７が制御され、磁界励起ヘッド１８によって発生する磁界強度は、図７に示す特性図のように−ｍａｘから＋ｍａｘまでの範囲、即ち、所定の光束トラッキング範囲において、必要とされる強度、例えば１００（Ｏｅ）を確保できるようにしている。
【０００８】
従って、磁界励起ヘッド１８に所定の駆動電流（一定値）を流した状態で光学ヘッドに記録信号を印加することによって所望の音声または映像の信号を記録することができる。
【０００９】
【発明が解決しようとする課題】
従来の磁界励起ヘッドの駆動電流制御装置は、磁界励起ヘッドに流す電流が、光学ヘッドが所定の光束トラッキング範囲の内のいずれに位置しているときでも充分な磁界強度が得られるようにしているので、光学ヘッドの光束が光束トラッキング範囲の中間部に位置されているときには必要以上の余分な電流が流された状態になり、かつ光束トラッキング範囲の一側または他側のそれぞれの端部においては余分な電流が無い状態である。
【００１０】
従って、磁界励起ヘッドに対して必要以上の電流を流している領域の電力が無駄となり効率的で無いという問題があり、この問題は、記録装置が電池駆動の場合には稼働時間の短縮化するという不具合があり、必要以上の電流を流していることによって、例えばヘッド・ドライバ回路等をＩＣ化した回路素子の発熱量が大きくなるのでその対策を講じなければならないという問題もある。
【００１１】
そこで、本発明の目的は、光磁界変調記録用の磁界励起ヘッドに対して、必要最小限の駆動電流を流すように制御することによって、無駄な電力消費を少なくし、全体回路の発熱量を低減することができる磁界励起ヘッドの駆動電流制御装置を提供することにある。
【００１２】
【課題を解決するための手段】
前記課題を解決するために、本発明による磁界励起ヘッドの駆動電流制御装置は、次に記載するような特徴的な構成を採用している。
【００１３】
（１）光磁界変調記録用の光束が所定の光束トラッキング範囲に駆動される光学ヘッドに協働してトラッキング方向に駆動されると共に、前記光束トラッキング範囲に光磁界変調記録用の磁界を印加する磁界励起ヘッドの駆動電流制御装置において、
前記光束トラッキング範囲の中に位置する前記光学ヘッドの光束トラッキング位置に対応する位置信号を得る検出手段と、
前記検出手段で検出された位置信号に対応して前記光学ヘッドの光磁界変調記録用の光束位置における磁界強度が規定値になるように前記磁界励起ヘッドの駆動電流を制御する制御手段とを具備する磁界励起ヘッドの駆動電流制御装置。
【００１４】
（２）前記検出手段は、前記光束トラッキング範囲の中に位置する前記光学ヘッドの光束トラッキング位置に対応する位置信号を得るように構成し、
前記制御手段は、当該検出手段で検出された位置信号に対応して前記光学ヘッドの光磁界変調記録用の光束位置における磁界強度が一定になるように前記磁界励起ヘッドの駆動電流を制御するように構成する上記（１）の磁界励起ヘッドの駆動電流制御装置。
【００１５】
（３）前記検出手段は、前記光束トラッキング範囲の中に位置する前記光学ヘッドの光束トラッキング位置を予め定められた複数点に対応する複数の位置信号を得るように構成し、
前記制御手段は、等外検出手段で検出された位置信号に対応して前記光学ヘッドの光磁界変調記録用の光束位置における磁界強度が前記複数の位置信号に対応する値になるように前記磁界励起ヘッドの駆動電流を制御するように構成する上記（１）の磁界励起ヘッドの駆動電流制御装置。
【００１６】
（４）前記検出手段は、前記光束トラッキング範囲の中に位置する前記光学ヘッドの光束トラッキング位置の中心に位置する第１点と、一側の方向に位置する第２点と、他側の方向に位置する第３点のそれぞれに対応する位置信号を得るように構成し、
前記制御手段は、当該検出手段で検出された位置信号に対応して前記光学ヘッドの光磁界変調記録用の光束位置における磁界強度が前記第１点乃至第３点のそれぞれに対応する値になるように前記磁界励起ヘッドの駆動電流を制御するように構成する上記（３）の磁界励起ヘッドの駆動電流制御装置。
【００１７】
（５）前記検出手段は、前記光束トラッキング範囲の中に位置する前記光学ヘッドの光束トラッキング位置の中心に位置する第１部位と、一側または他側の方向に位置する第２部位のそれぞれに対応する位置信号を得るように構成し、
前記制御手段は、当該検出手段で検出された位置信号に対応して前記光学ヘッドの光磁界変調記録用の光束位置における磁界強度が前記第１部位と第２部位のそれぞれに対応する値になるように前記磁界励起ヘッドの駆動電流を制御するように構成する上記（３）の磁界励起ヘッドの駆動電流制御装置。
【００１８】
（６）前記磁界励起ヘッドは、前記光学ヘッドによる光束が照射される記録媒体面に対向して配置される上記（１）乃至（５）のいずれかの磁界励起ヘッドの駆動電流制御装置。
【００１９】
（７）前記磁界励起ヘッドは、前記光学ヘッドによる光束が照射される記録媒体面と同一の側に配置される上記（１）乃至（５）のいずれかの磁界励起ヘッドの駆動電流制御装置。
【００２０】
【発明の実施の形態】
以下、本発明の一実施の形態について図面を用いて詳細に説明する。本実施の形態は、本発明をＭＤ記録再生装置に適用した例であり、その構成について図１を用いて説明する。
【００２１】
ＤＳＰ／サーボ回路１に接続された４ＣＨドライバ３によってピックアップ・トラバース部２のスピンドルモータ２ａとスレッドモータ２ｂとフォーカスコイル２ｃとトラッキングコイル２ｄが制御され、スピンドルモータ２ａによってディスクの回転が線速度一定もしくは角速度一定の制御がなされ、スレッドモータ２ｂによって光学ヘッドと磁界励起ヘッド９が一体となってトラッキング方向に移動制御され、フォーカスコイル２ｃによって光学ヘッドからの光束がディスク記録面に対して合焦状態になるように制御され、トラッキングコイル２ｄによって光学ヘッドの光束が所定の光束トラッキング範囲に駆動制御される。
【００２２】
ディスク再生時には、ピックアップ・トラバース部２によって読み取られた信号がＲＦ・ＡＭＰ回路４によって増幅されてＤＳＰ／サーボ回路１に入力され、適宜のデジタル処理が実行されることによって最終的な音声または映像の再生信号を得ることができる。
【００２３】
ディスク記録時には、音声または映像の信号がＤＳＰ／サーボ回路１に入力されることによって光学ヘッドに対して記録用の光信号が印加されると共に、ＤＳＰ／サーボ回路１からヘッド・ドライバ回路８を介して磁界励起ヘッド９に駆動電流が印加される。
【００２４】
その駆動電流は、電源Ｖｃｃの電圧を直列の抵抗Ｒ１、Ｒ２によって分圧した第１出力と、差動アンプ部６からの第２出力と、反転アンプ部７から第３出力でなる３種の出力のそれぞれをオア回路的に結合したダイオードＤ１、Ｄ２、Ｄ３を介するような制御信号としてＡＶＲ回路５の制御端に供給され、このＡＶＲ回路５の出力によってヘッド・ドライバ回路８の出力電流が制御される。
【００２５】
差動アンプ部６は、ピックアップ・トラバース部２のトラッキングコイル２ｄの端子電圧の差動値を出力するもので、反転アンプ部７は、差動アンプ部６の出力を受け、これを反転して出力するように構成される。
【００２６】
光学ヘッドの光束トラッキング位置に対応する位置信号を得る検出手段が、主としてトラッキングコイル２ｄ、差動アンプ部６、反転アンプ部７で構成され、この検出手段で検出された位置信号に対応して光学ヘッドの光磁界変調記録用の光束位置における磁界強度が規定値になるように磁界励起ヘッド９の駆動電流を制御する制御手段が主としてＡＶＲ回路５、ヘッド・ドライバ回路８によって構成される。
【００２７】
上述の規定値は、検出手段で検出された位置信号に対応して光学ヘッドの光磁界変調記録用の光束位置における磁界強度が一定になるように磁界励起ヘッド９の駆動電流を制御するように構成されている。
【００２８】
従って、トラッキングコイル２ｄのドライブ信号を差動アンプ部６によって光束トラッキング範囲の中心点（基準点）に対しての電圧値に変換してトラッキングの一側（例えばプラス側）の移動量信号として検出し、その差動アンプ部６の出力を反転アンプ部７で反転した信号を他側（例えばマイナス側）の移動量信号として検出し、ダイオードＤ１、Ｄ２、Ｄ３によるダイオードオア回路によって一番高い電圧の信号が支配的となり、ＡＶＲ回路５を介してヘッド・ドライバ回路８で制御される磁界励起ヘッド９のドライブ電圧が決定される。
【００２９】
よって、磁界励起ヘッド９のドライブ電圧に基づく−ｍａｘから＋ｍａｘまでの範囲、即ち、所定の光束トラッキング範囲における磁界強度の特性は、光学ヘッドからの光束位置が、当該の光束トラッキング範囲の中心に位置する場合には、図２に示すように必要とされる磁界強度、例えば１００（Ｏｅ）が確保される。
【００３０】
一方、光学ヘッドからの光束位置が、当該の光束トラッキング範囲の＋ｍａｘ近傍に位置する場合には、磁界励起ヘッド９に大きな電流が流されるので図３に示すように１００（Ｏｅ）が確保される。逆に光束位置が、当該の光束トラッキング範囲の−ｍａｘ近傍に位置する場合にも、磁界励起ヘッド９に大きな電流が流されるので１００（Ｏｅ）が確保される。
【００３１】
また、光学ヘッドからの光束位置が、当該の光束トラッキング範囲の＋ｍａｘと−ｍａｘの中間に位置する場合には、その光束位置における磁界強度が必要強度である１００（Ｏｅ）を僅かに超えるように連続的に制御される。
【００３２】
磁界励起ヘッド９に流す電流値と磁界強度の関係が、例えば図４に示すように電流Ｉの値が、３００、２８０、２６０、２４０、２２０ｍＡであった場合のそれぞれの磁界強度特性ａ〜ｅである場合には、図２に示すように光束位置が光束トラッキング範囲の中心に位置する近傍では２２０ｍＡの特性ｅであり、光束位置が光束トラッキング範囲の＋ｍａｘ近傍もしくは−ｍａｘ近傍に位置する場合には、最大の３００ｍＡの特性ａであるので、ピーク時の差電流値は８０ｍＡにもなる。
【００３３】
しかし、本発明では、常に最大の３００ｍＡの特性ａで磁界励起ヘッド９を駆動するのではなく、光束位置に応じて、結果的には磁界励起ヘッド９への駆動電流を結果的には低減させているので、総合で考えたときには大幅な消費電力の低減が達成される。
【００３４】
今まで説明した実施の形態は、光束トラッキング範囲の中に位置する光束位置に対応する位置信号を検出し、その位置信号に連続的に追従して磁界励起ヘッド９における磁界強度が、光束トラッキング範囲の中に位置するどの光束位置であっても所定量の磁界強度が得られるように連続制御している例であるが、このような駆動電流制御を段階的にもしくは間欠的に行うようにしてもよい。
【００３５】
このような磁界励起ヘッドの駆動電流制御装置の例を図５を用いて説明する。なお、図５に示す回路は、トラッキングコイル２ｄへの印加電圧の差を差動アンプ部１０でもって検出し、その出力を電圧比較回路１１に入力するように構成される回路部を有する。
【００３６】
電圧比較回路１１は、上限値を超えたときと下限値を下回ったときのそれぞれのときにＨレベル信号を出力する２つのコンパレータと、該コンパレータのそれぞれの出力のオア出力を得るオアゲートで回路構成される。
【００３７】
ヘッド・ドライバ回路８を介して磁界励起ヘッド９に駆動電流が印加されるときの動作は、ＡＶＲ回路５の出力によって制御される。ＡＶＲ回路５の出力は、トランジスタＱ１のオフ時には、電源Ｖｃｃの電圧を直列の抵抗Ｒ３、Ｒ４によって分圧した信号とされ、トランジスタＱ１のオン時には、電源Ｖｃｃの電圧を抵抗Ｒ３の値と、抵抗Ｒ４、Ｒ５の並列抵抗値によって分圧した信号とされる。
【００３８】
従って、前述の上限値と下限値を光束トラッキング範囲の中の光束位置が中心点とプラス方向の端部より中心寄りで、マイナス方向の端部より中心寄りに設定することによって、いわゆる２値制御の駆動電流制御を行うことができ、磁界励起ヘッド９の駆動電流設計を簡略化することができる。
【００３９】
この形態は、２値制御の駆動電流制御であるが、光束トラッキング範囲の中に位置する光束位置を予め定められた３点もしくはこれ以上の点数に設定するように構成してもよい。
【００４０】
今まで説明した磁界励起ヘッドの駆動電流制御装置は、本発明をＭＤへの光磁界変調記録できる装置に適用したものであるが、ＭＯもしくは他形式の光磁界変調記録を行うことができる全ての記録媒体にも本発明の磁界励起ヘッドの駆動電流制御装置を適用できることは勿論である。
【００４１】
【発明の効果】
以上の説明で明らかなように、本発明による磁界励起ヘッドの駆動電流制御装置は、磁界励起ヘッドに流す電流が、所定の光束トラッキング範囲内のいずれの光束位置であるかに対応して変化され、当該光束位置における磁界強度を必要最小限の値に制御しているので、必要以上の余分な電流が流された状態にはならず、かつ光束トラッキング範囲の一側または他側のそれぞれの端部においても必要な電流を確保することができる。
【００４２】
また、磁界励起ヘッドに対して必要以上の電流を流している領域が無いので電力の効率的な利用が図れ、特に、記録装置が電池駆動の場合には稼働時間を大幅に増加させることができ、必要以上の電流を流さないので回路素子の発熱量を低減することができる。
【００４３】
従って、本発明によれば、光磁界変調記録用の磁界励起ヘッドに対して、必要最小限の駆動電流を流すように制御することによって、無駄な電力消費を少なくし、全体回路の発熱量を低減することができる磁界励起ヘッドの駆動電流制御装置を提供することができる。
【図面の簡単な説明】
【図１】本発明の一実施の形態による磁界励起ヘッドの駆動電流制御装置の要部回路を示すブロック回路図である。
【図２】光学ヘッドの光束位置が光束トラッキング範囲の中心近傍に位置するときの磁界強度の特性を示す特性図である。
【図３】光学ヘッドの光束位置が光束トラッキング範囲のプラス側の端部近傍に位置するときの磁界強度の特性を示す特性図である。
【図４】図１中に示される磁界励起ヘッドの電流と磁界強度の特性の一例を示す特性図である。
【図５】本発明の他実施の形態による磁界励起ヘッドの駆動電流制御装置の要部回路を示すブロック回路図である。
【図６】従来の磁界励起ヘッドの駆動電流制御装置の一例を示すブロック回路図である。
【図７】図７中に示される磁界励起ヘッドの磁界強度と光束トラッキング範囲内を移動する光束位置の関係を示す特性図である。
【符号の説明】
１、１２　ＤＳＰ／サーボ回路
２、１３　ピックアップ・トラバース部
２ａ　スピンドルモータ
２ｂ　スレッドモータ
２ｃ　フォーカスコイル
２ｄ　トラッキングコイル
３、１４　４ＣＨドライバ
４、１５　ＲＦ・ＡＭＰ回路
５、１６　ＡＶＲ回路
６、１０　差動アンプ部
７　反転アンプ部
８、１７　ヘッド・ドライバ回路
９、１８　磁界励起ヘッド
１１　電圧比較回路
【図１】
2004133978.tif 000003
【図２】
2004133978.tif 000004
【図３】
2004133978.tif 000005
【図４】
2004133978.tif 000006
【図５】
2004133978.tif 000007
【図６】
2004133978.tif 000008
【図７】
2004133978.tif 000009